(57)【要約】      （修正有）【課題】連鎖的に結合した赤血球同士の分離処理を、より容易に且つ安価に実施可能な血液処理材と血液処理具とを提供する。【解決手段】花崗岩を焼成した焼成物を粉砕して得られる粉砕物にて、血液処理材１６を構成した。また、そのような血液処理材１６を、生体に装着可能な装着体１２に対して保持せしめて、生体に近接位置可能と為すように、血液処理具１０を構成した。【選択図】図４
2007268057.tif 000002
【特許請求の範囲】
【請求項１】
血液中で連鎖的に結合した赤血球同士を分離せしめるように血液を処理する血液処理材であって、
花崗岩を焼成した焼成物を粉砕して得られる粉砕物にて構成したことを特徴とする血液処理材。
【請求項２】
生体に近接位置せしめることで、該生体の血液中で連鎖的に結合した赤血球同士を分離せしめるように、該生体の血液を処理する血液処理具であって、
前記生体に装着可能な装着体を有し、且つ該装着体に対して、前記請求項１に記載の血液処理材を保持せしめて構成したことを特徴とする血液処理具。
【請求項３】
前記装着体がシート材からなり、且つ該シート材の表面に、前記血液処理材が固着されることにより、該血液処理材が、該装着体に保持せしめられている請求項２に記載の血液処理具。
【請求項４】
前記装着体が、前記血液処理材を収容可能な収容部を有して構成されて、該収容部内に該血液処理材が収容されることにより、該血液処理材が、該装着体に保持されている請求項２に記載の血液処理具。
【請求項５】
前記装着体が、前記血液処理材を内部に含有する樹脂成形体からなるか、若しくはかかる樹脂成形体を有して構成されることにより、該血液処理材が、該装着体に保持されている請求項２に記載の血液処理具。
【請求項６】
前記装着体が装飾具である請求項２乃至請求項５のうちの何れか１項に記載の血液処理具。
【発明の詳細な説明】
【技術分野】
【０００１】
本発明は、血液処理剤及び血液処理具に係り、特に、血液中で連鎖的に結合した赤血球同士を分離せしめるように血液を処理する血液処理剤と、そのような血液処理剤を用いた血液処理具とに関するものである。
【背景技術】
【０００２】
よく知られているように、例えば人体の血液中の赤血球が連鎖的に結合していると、人体の健康に悪影響を及ぼす。これは、赤血球が連鎖的に結合すると、各赤血球の表面積が減少して、赤血球による酸素供給能が低下するからである。また、そのような赤血球の連鎖的結合が更に進行して、集積状態となると、毛細血管内での血流の低下が惹起される。そして、こうした状態が長期化すれば、例えば、血行障害等が生じ、それによって、様々な病的症状が発生する。更に、甚だしい場合には、脳梗塞や心筋梗塞等の成人病を招く恐れさえもあるのである。
【０００３】
そこで、近年では、血液中で連鎖的に結合した赤血球同士を分離せしめるように血液を処理する血液処理材、或いはそれを用いた血液処理具が、人体の健康状態を改善する健康器具等として、各種、提案されている。そして、その中の一種として、植物性炭素繊維を利用したものがある（例えば、下記特許文献１参照）。これは、綿や自然素材で出来た生地を炭化させて得られる植物性炭素繊維を用いるもので、安価であるといったメリットを有している。
【０００４】
ところが、そのような植物性炭素繊維からなる従来の血液処理材にあっては、通常、シート材に加工されて、使用に供されるのであるが、植物性炭素繊維自体が極めて強度の小さいものであるため、かかるシート材は、そのまま状態では、到底、使用に耐え得るものではなかった。それ故、そのようなシート材に加工された従来の血液処理材を用いて血液の処理を行う際には、先ず、シート材を、植物性炭素繊維以外の材料からなるカバー材にて両側から挟んで補強する等の面倒な作業を行わなければならず、しかも、カバー材を使用する分だけ、余分なコストが必要となっていたのである。
【０００５】
また、このような植物性炭素繊維からなる従来の血液処理材にあっては、それを装着等している状態ではある程度の効果が認められるものの、取り外すとすぐに効果が認められなくなってしまい、長時間に亘って効果が持続しないという欠点があったのである。
【０００６】
【特許文献１】特開２００４−２２３１８８号広報
【発明の開示】
【発明が解決しようとする課題】
【０００７】
ここにおいて、本発明は、上述せる如き事情を背景にして為されたものであって、その解決課題とするところは、血液中で連鎖的に結合した赤血球同士を分離せしめる血液処理用のものであって、特に従来の植物性炭素繊維からなる血液処理用のものに比して長期間に亘る効果を発揮し得ると共に、より容易に且つ安価に実施可能な血液処理材と、それを利用した血液処理具とを提供することにある。
【課題を解決するための手段】
【０００８】
そして、本発明者等は、かかる課題の解決のために種々研究を行った課程で、花崗岩を含む鉱石の焼成物が、水分子の連鎖的に結合した、所謂クラスタの分解に利用されていることに着目した。そこで、目的とする血液処理材を得るのに、かかる花崗岩の焼成物を利用することを着想し、更に鋭意研究を重ねた結果、かかる花崗岩の焼成物によって、連鎖的に結合した赤血球同士の分解が可能となることを見出した。そして、このような知見に基づいて、本発明が完成に至ったのである。
【０００９】
以下、本発明の態様を記載する。なお、以下の記載の態様において採用される構成要素は、可能な限り任意の組み合わせで採用可能である。また、本発明の態様乃至は技術的特徴は、以下に記載のものに限定されることなく、明細書全体及び図面に記載されたもの、或いはそれらの記載から当業者が把握することが出来る発明思想に基づいて認識されるものであることが理解されるべきである。
【００１０】
本発明の第一の態様は、血液中で連鎖的に結合した赤血球同士を分離せしめるように血液を処理する血液処理材であって、花崗岩を焼成した焼成物を粉砕して得られる粉砕物にて構成した血液処理材を、特徴とする。
【００１１】
この本態様においては、花崗岩の焼成物が有する特有の作用によって、血液中で連鎖的に結合した赤血球同士を分離させることが出来る。そして、特に、本態様に係る血液処理材にあっては、花崗岩の焼成物を粉砕して得られる高硬度の粉砕物にて構成されているところから、例えば、植物性炭素繊維からなる従来の血液処理材とは異なって、シート材に保持せしめて使用する場合にも、かかるシート材における血液処理材の保持部分を、カバー材等にて補強するような面倒な作業を何等行うことなく、そのままの状態での使用が可能となる。そして、それによって、補強のために必要とされる余分な労力負担やコスト負担の発生が、有利に皆無ならしめられ得る。
【００１２】
従って、このような本態様によれば、血液中で連鎖的に結合した赤血球同士を分離せしめる血液処理を、より容易に且つ更に安価に行うことが出来る。そして、その結果、赤血球同士が連鎖的結合により集積状態となって生ずる様々な病的症状の発生が未然に防止され、以て、健康状態の改善乃至は増進が、極めて効果的に図られ得ることとなるのである。
【００１３】
また、本態様に係る血液処理材においては、特に従来の植物性炭素繊維からなるものに比して、それを取り外したあとにも、赤血球の連鎖の分離状態をより長期間に亘って維持し得る効果が認められる。具体的には、後述の実施例で示すが、例えば一つの実施例を示す図７〜１０に示されているように、本発明に係る血液処理材を用いた血液処理具においては、図７に示す装着前の赤血球が連鎖している状態から、図８に示す装着後６０分経過時に赤血球の連鎖の解消が認められると共に、図９に示す取外し後の２時間及び５時間経過後においても赤血球の連鎖が殆ど認められず、図１０に示す取外し後の８時間経過後においてはじめて赤血球の連鎖が認められるに至ることが確認されている。
【００１４】
本発明の第二の態様は、生体に近接位置せしめることで、該生体の血液中で連鎖的に結合した赤血球同士を分離せしめるように、該生体の血液を処理する血液処理具であって、前記生体に装着可能な装着体を有し、且つ該装着体に対して、前記請求項１に記載の血液処理材を保持せしめて構成した血液処理具を、特徴とする。なお、ここで言う「生体に近接位置せしめるとは」、生体に接触下で近接位置させる場合と、生体に非接触下で近接位置させる場合の両方の場合を含む。以下、同じ意味において使用する。
【００１５】
この本態様に係る血液処理具においては、例えば、人体や家畜、ペット等（以下、人体等という）の生体に対して、装着体にて装着されることで、人体等に接触下又は非接触下で近接位置せしめられる。また、そのような状態下で、装着体に保持された血液処理材を構成する花崗岩の焼成物の特有の作用によって、人体等の血液中で連鎖的に結合した赤血球同士を分離させることが出来る。
【００１６】
そして、かかる本態様においては、装着体に保持される血液処理材が、花崗岩の焼成物を粉砕して得られる高硬度の粉砕物にて構成されているところから、例えば、植物性炭素繊維からなる従来の血液処理材を用いてなる血液処理具とは異なって、血液処理材の保持部分を別部材にて補強する必要が有利に解消され得て、かかる補強のために要される労力やコストが皆無ならしめられ得る。
【００１７】
従って、かくの如き本態様に係る血液処理具にあっては、血液中で連鎖的に結合した赤血球同士を分離せしめる血液処理を実施可能な構造が、より簡略で且つ安価に実現され得る。そして、その結果として、かかる血液処理を、より容易に且つ低コストに行うことが出来、以て、装着されるべき人体等の健康状態の改善乃至は増進が、極めて有利に図られ得ることとなるのである。
【００１８】
また、本発明の第三の態様は、前記第二の態様に係る血液処理具において、前記装着体がシート材からなり、且つ該シート材の表面に、前記血液処理材が固着されることにより、該血液処理材が、該装着体に保持せしめられるように構成される。この本態様によれば、例えば、シート材を、人体等に直接に貼着したり、巻き付けたり、或いは着衣や寝具等に取り付けたりして、人体等に対して接触下又は非接触下で、容易に近接位置させることが出来、以て、血液中で連鎖的に結合した赤血球同士の分離効果が、手軽に且つ確実に教授され得る。
【００１９】
さらに、本発明の第四の態様は、前記第二の態様に係る血液処理具において、前記装着体が、前記血液処理材を収容可能な収容部を有して構成されて、該収容部内に該血液処理材が収容されることにより、該血液処理材が、該装着体に保持されるように構成される。この本態様によれば、単に、例えば、血液処理材を装着体に固着する等の作業を行うことなく、単に、血液処理材を収容部に収容せしめるだけで良いため、血液処理材を装着体に保持させるための作業が、より容易となる。
【００２０】
更にまた、本発明の第五の態様は、前記第二の態様に係る血液処理具において、前記装着体が、前記血液処理材を内部に含有する樹脂成形体からなるか、若しくはかかる樹脂成形体を有して構成されることにより、該血液処理材が、該装着体に保持されるように構成される。かかる本態様によれば、装着体に保持された血液処理材の装着体からの離脱が、より確実に阻止され、それによって、血液処理材による赤血球の連鎖的な結合の分離作用によって発揮される効果が、装着体が人体等に装着されている間、安定して維持せしめられ得る。
【００２１】
また、本発明の第六の態様は、前記第二乃至は第五の態様のうちの何れか一つに係る血液処理具において、前記装着体が装飾具にて構成される。この本態様においては、血液処理を行う機能と装飾機能の両方が具備せしめられ、それにより、機能性の向上が有利に図られ得る。
【発明の効果】
【００２２】
このように、本発明に従う血液処理材にあっては、血液中で連鎖的に結合した赤血球同士を分離せしめる血液処理を、より容易に且つ更に安価に行うことが出来、以て、健康状態の改善乃至は増進が、極めて効果的に図られ得ることとなる。
【００２３】
また、本発明に従う血液処理具にあっては、血液中で連鎖的に結合した赤血球同士を分離せしめる血液処理を実施可能な構造が、より簡略で且つ安価に実現され得る。
【発明を実施するための最良の形態】
【００２４】
以下、本発明を更に具体的に明らかにするために、本発明の実施形態について、図面を参照しつつ、詳細に説明する。
【００２５】
先ず、本発明に従う構成とされた血液処理材について、詳述する。本発明の血液処理材は、天然の花崗岩が原料として、用いられる。この天然花崗岩は、その種類が特に限定されるものではなく、例えば、黒雲母花崗岩や白雲母花崗岩、複雲母花崗岩、閃雲花崗岩等の各種のものが、適宜に使用され得る。
【００２６】
そして、このような天然花崗岩を焼成した焼成物を粉砕して得られる粉砕物によって、本発明の血液処理材が構成されて、連鎖的に結合した赤血球同士の分解作用が発揮されるのであるが、花崗岩の焼成の実施に際しては、公知の焼成炉が用いられ、特に焼成条件が限定されることはないが、焼成炉の構造や焼成作業性およびその後の破砕処理等の作業容易性を考慮すると、ある程度の好ましい範囲として、例えば千数百度程度の温度が好適に採用されると共に、１時間以上の焼成処理を行うことが望ましい。
【００２７】
また、花崗岩の焼成によって得られる本発明に係る血液処理材が、このような焼成処理によって実現可能であることは、本発明者等が幾つもの実験と検証を行っていることで確認済みである。因みに、得られた血液処理材の一つであって後述の実施例に用いたものについて、公的機関で組成等を検証した結果を図１〜３に示す。なお、試供品の品目「バイタル活性剤」は、上述の如くして得られた血液処理材について発明者が付した略称である。これらの結果から明らかなように、本発明に係る血液処理材は、特定の鉱物組成から構成されており、二酸化ケイ素と酸化アルミニウムを主体とする花崗岩の焼成物であることが認められる。特に、本発明者が検討したところでは、概略この程度の組成割合を有するものが望ましい。即ち、蛍光Ｘ線による定量分析で、二酸化ケイ素：略７０％，酸化アルミニウム：略１５％，酸化第二鉄：略５％の他、酸化カルシウムと酸化ナトリウム，酸化マグネシウム，酸化カリウムを数％ずつ含み、その他、酸化チタンや酸化マンガン，酸化マグネシウム、五酸化リン，強熱減量をそれぞれ少量含むものが、好適に採用されることとなり、このような組成の酸化鉱物は、上述の如き一般に入手できる花崗岩の焼成処理によって得ることが可能なものであって、例えば後述するように市販の焼成処理物を採用することもできる。
【００２８】
なお、かかる原料花崗岩の焼成操作は、通常、空気中で行われるが、焼成雰囲気は、何等、これに限定されるものではない。また、焼成後の冷却は、大気中に放置した状態での自然空冷で良く、従って、冷却速度も、特別に設定されるものではない。
【００２９】
かくして得られた焼成物を粉砕する際には、公知の一般的な粉砕機が用いられる。粉砕物の大きさも、特に限定されるものではないものの、粉砕物の取扱性、或いは連鎖的に結合した赤血球同士の分解作用の効果の即効性や持続性等を考慮すると、平均粒径が１００μｍ以下の範囲内の値とされる。また、この粉砕物にあっては、表面から遠赤外線が放射されるため、そのような遠赤外線による保温効果も期待され得るのであるが、平均粒径が１００μｍを越える大きさであると、比表面積が小さなものとなって、遠赤外線の放出量が小さくなり、その結果として、遠赤外線による保温効果が低下する懸念も惹起される。また、粒径が小さ過ぎると取扱いが面倒になるが、作用効果に関しては特に大きな支障はない。なお、かかる粉砕物の粒径は、均一であっても、不均一であっても、差し支えない。
【００３０】
そして、このようにして得られた粉砕物からなる血液処理材が、生体の血液中で連鎖的に結合した赤血球同士を確実に分離させることが可能となり、それによって、そのような赤血球同士の連鎖的結合による集積状態の発生、更にはそれに起因した血行障害、或いは成人病の発生等を、極めて効果的に防止することが出来るのである。
【００３１】
また、この血液処理材は、花崗岩の焼成物を粉砕して得られる高硬度の粉砕物にて構成されているため、使用時に、破損乃至は損傷せしめられるようなことが効果的に解消され得、それによって、十分な血液処理効果が、安定的に維持され得る。その上、使用時での損傷等を防ぐための特別な保護対策を施しておく必要も、有利に皆無ならしめられ得て、そのような保護対策に要する余分な労力負担や経済負担が、効果的に削減され得る。
【００３２】
従って、かくの如き血液処理材を用いれば、赤血球同士の連鎖的結合に起因して生ずる様々な病的症状の発生の防止、また、健康状態の改善乃至は増進が、極めて効果的に図られ得ることとなるのである。
【００３３】
しかも、かかる血液処理材にあっては、毒性のない、天然の花崗岩を原料としているところから、その使用時における生体への安全性も、有利に確保され得る。
【００３４】
また、かかる血液処理材においては、遠赤外線が、表面から十分に放射されるため、この遠赤外線による保温効果によっても、生体の血行を良好と為し得ることが出来る。更に、生体内の活性酸素の消去能を有しており、それによって、かかる活性酸素による生体の体内組織の老化等の悪影響を可及的に排除することも出来る。更にまた、焼成により多孔質化されていることで、消臭効果も発揮され得るといった利点がある。
【００３５】
次に、図４及び図５に示された、本発明に従う構造を有する血液処理具の一実施形態について説明する。かかる図４と図５には、本実施形態の血液処理具１０が、その正面形態と縦断面形態とにおいて、それぞれ概略的に示されている。それらの図から明らかなように、血液処理具１０は、装着体としての基材シート１２を有して、構成されている。
【００３６】
より詳細には、この基材シート１２は、全体として、長手の矩形形状を呈し、例えば、所定の化学繊維等を編成してなる、変形が容易な布地等にて構成されている。また、かかる基材シート１２の厚さ方向一方側の面における長さ方向の一端部と、他方側の面の他端部とには、面ファスナー１４が、それぞれ、全幅に亘って連続して延びるように設けられている。
【００３７】
かくして、かかる基材シート１２においては、人体や家畜、ペット等の生体の手足や脚部、或いは胴部等の所定の部位に対して、筒状を呈するようにして容易に巻き付けられ、また、そのような巻付け状態下で、長さ方向の両側の端部にそれぞれ設けられた面ファスナー１４同士において接着されることで、人体等の所定部位に対して、取り外し可能に、容易に装着され得るようになっている。
【００３８】
そして、本実施形態の血液処理具１０にあっては、基材シート１２の一方の面における長さ方向中央部に、前述せる如き天然花崗岩を焼成した焼成物を粉砕して得られる粉砕物からなる血液処理材１６が、保持されている。
【００３９】
すなわち、ここでは、基材シート１２の一方の面の長さ方向中央部に、公知の接着剤が所定厚さで塗布されてなる接着剤層１８が、形成されている。そして、この接着剤層１８の内部に、血液処理材１６の所定量が、分散せしめられた状態で、埋設されている。これによって、所定量の血液処理材１６が、基材シート１２の表面上に、固着されて、保持されているのである。
【００４０】
なお、この基材シート１２の表面上への血液処理材１６の固着量は、特に限定されるものではなく、基材シート１２が装着される生体の種類は生体の部位等に応じて、適宜に決定されるところではあるものの、基材シート１２が、例えば人体の手や足、或いは胴部等に装着される場合には、一般には、かかる固着量が、は１〜２０ｇ程度の量とされる。何故なら、基材シート１２の表面上への血液処理材１６の固着量が、１ｇよりも少ない量とされていると、血液処理材１６が余りにも少ないたいめに、血液処理材１６の特有の作用、つまり血液中で連鎖的に結合した赤血球同士を分離せしめる作用が有効に発揮されなくなる恐れがあるからであり、また、かかる血液処理材１６の固着量が、２０ｇ越える量とされていると、血液処理材１６が無駄に多くなって、コスト高となるからである。
【００４１】
そして、このような血液処理具１０においては、基材シート１２が、例えば、人体等の所定部位に、巻き付けられて、装着されることで、血液処理材１６を、人体等に対して近接位置せしめ得るようになっている。なお、かかる血液処理具１０は、例えば、所定量の血液処理材１６を、接着剤中に練り込む等して、分散状態で含有せしめ、そして、この血液処理材１６を含有する接着剤を基材シート１２の表面上に塗布して、固化せること等によって、容易に得られる。
【００４２】
かくして、かくの如き血液処理具１０にあっては、それが装着されて、血液処理材１６が近接位置せしめられた人体の血管内を流れる血液中で連鎖的に結合した赤血球同士を、血液処理材１６の特有の作用によって分離させることが出来る。そして、それによって、血液処理具１０が装着せしめられた人体に、例えば、血行障害等が生じている場合には、この血行障害を十分に改善することが可能となり、以て、人体等の健康状態の改善乃至は増進が、極めて有利に図られ得ることとなるのである。
【００４３】
そして、本実施形態の血液処理具１０においては、特に、高硬度を有していることによって、使用時の損傷を防ぐための特別な保護対策が必要とされない分だけ使用性に優れ、しかも安価な花崗岩の焼成粉砕物にて、血液処理材１６が構成されているところから、上記せる如き人体等の健康状態の改善乃至は増進が、容易に且つ低コストに実現され得る。
【００４４】
また、かかる血液処理具１０は、その使用に際して、人体等の所定部位に巻き付けるだけで良いため、手軽で、優れた使用性が、有利に発揮され得る。
【００４５】
次に図６及び図７には、上記せる実施形態とは、血液処理材の保持構造が異なる別の実施形態が、示されている。なお、それら図６及び図７に示される実施形態、更には後述する実施形態に関しては、上記の実施形態と同様な構造とされた部材及び部位について、図４及び図５と同一の符号を付すことにより、その詳細な説明は省略した。
【００４６】
図６及び図７に示された本実施形態の血液処理具２０にあっては、装着体２２が、互いに貼り合わされた長尺な２枚の帯状シート２４，２４からなっている。具体的には、装着体２２は、２枚の帯状シート２４，２４が、それらの間に接着剤層（＋示せず）を挟んで互いに重ね合わされ、この接着剤層により一体的に接着せしめられてなる一体積層品からなり、全体として、１本の長尺な帯状形態を有している。また、この装着体２２を構成する２枚の帯状シート２４，２４は、何れも、例えば、所定の化学繊維等を編成してなる、変形が容易な布地等にて構成されている。更に、それら各帯状シート２４の間に介在せしめられる接着剤層は、固化状態でも適度な柔軟性を有する公知の接着剤を用いて、構成されている。かくして、かかる装着体２２が、人体等の所定部位に対して、巻き付けられて、結び付けられる等して、取り外し可能に、容易に装着され得るようになっている。
【００４７】
また、ここでは、そのような装着体２２の長さ方向の中間部の内部に、袋状の収容部２６が、設けられている。つまり、装着体２２を構成する２枚の帯状シート２４，２４の間に、接着剤層が存在せずに、それら帯状シート２４同士が非接着とされた矩形の領域が、装着体２２の長さ方向の中間部に位置するように形成されており、この矩形の領域が、外部と非連通とされた、袋状の収容部２６とされている。そして、所定量の血液処理材１６が、かかる収容部２６内に収容されて、装着体２２に保持されているのである。なお、この収容部２６内に収容される血液処理材１６の量は、前記第一の実施形態に係る血液処理具１０の基材シート１２への固着量と同様に、例えば人体の所定部位に装着される場合において、１〜２０ｇ程度とされる。このような範囲内の量において、血液処理材１６が収容部２６内に収容されていることで、血液中での連鎖結合せしめられた赤血球同士の分解作用が、血液処理材１６により、効率的に且つ確実に発揮され得るようになる。
【００４８】
而して、このような血液処理具２０においては、装着体２２が、人体等の所定部位に、巻き付けられた状態で、結び付けられて、装着されることで、血液処理材１６を、人体に近接位置せしめ得るようになっている。なお、かかる血液処理具２０は、例えば、先ず、１枚の帯状シート２４の長さ方向中間部の表面上において、収容部２６が形成されるべき部位に、所定のマスキングを施した後、かかる帯状シート２４の表面の全面に接着剤を塗し、次いで、マスキングを除去してから、マスキングによって接着剤が塗布されなかった帯状シート２４の表面部分に、所定量の血液処理材１６を載置した後、別の１枚の帯状シート２４を重ね合わせて、接着せしめること等によって、容易に得られることとなる。
【００４９】
かくして、かくの如き血液処理具２０にあっては、前記実施形態における血液処理具１０と同様に、それが装着されて、血液処理材１６が近接位置せしめられた人体等の血管内を流れる血液中で連鎖的に結合した赤血球同士を分離させ、以て、人体等の健康状態の改善乃至は増進が、低コストで且つ容易に図られ得ることとなるのである。
【００５０】
また、このような本実施形態の血液処理具２０においては、所定量の血液処理材１６が、接着剤とは非接触とされた状態で、収容部２６内に収容されて、装着体２２に保持されるようになっているため、前記第一の実施形態に係る血液処理具１０とは異なって、接着剤中に所定量の血液処理材１６を練り込むような比較的に面倒な作業を行う必要がなく、良好な製作性が発揮され得るといった利点がある。
【００５１】
次に、図８と図９には、前記二つの実施形態とは、血液処理材の保持構造が更に異なる別の実施形態が、それぞれ一つずつ示されている。
【００５２】
すなわち、図８に示される血液処理具３０は、装着体３２が、合成樹脂製のリングからなる、装飾具の一種たるブレスレットにて、構成されている。それによって、かかる装着体３２が、人体の手首等に対して、取り外し可能に容易に装着され得るようになっている。そして、そのような装着体３２の内部の全体に、血液処理材１６が、略均一に分散せしめられた状態で、埋設されている。つまり、ここでは、装着体３２が、所定量の血液処理材１６を含有する樹脂成形体にて構成されていることで、それら所定量の血液処理材１６が、装着体３２に保持されているのである。なお、この装着体３２中における血液処理材１６の含有量は、好ましくは、前記第一及び第二の実施形態と同様な量とされる。
【００５３】
そうして、このような血液処理具３０においては、装着体３２が、人体の手首等に装着されることで、血液処理材１６を、かかる人体に近接位置せしめ得るようになっている。なお、この血液処理具３０は、例えば、所定量の血液処理材１６が練り込まれる等して含有せしめられた樹脂材料を用いて、射出成形等を行うことで、容易に得られることとなる。
【００５４】
このように、本実施形態の血液処理具３０にあっても、人体に装着されることで、前記二つの実施形態と同様な作用・効果が有効に享受され得る。
【００５５】
そして、特に、かかる本実施形態の血液処理具３０にあっては、装着体３２が、所定量の血液処理材１６を含有する樹脂成形体にて構成されているところから、それら所定量の血液処理材１６が、装着体３２に対して、より強固に保持されており、それによって、血液処理材１６の装着体３２からの離脱乃至は脱落が、効果的に防止され得る。また、その結果、血液処理材１６による赤血球の連鎖的な結合の分離作用によって発揮される効果が、装着体３２が人体に装着されている間、安定して維持せしめられ得る。
【００５６】
しかも、かかる血液処理具３０にあっては、装着体３２が、装飾具の一種たるブレスレットにて構成されているため、血液処理を行う機能と装飾機能の両方が具備せしめられ、以て、機能性の向上が有利に図られ得る。なお、同様な構造で周長を大きくすることによってネックレスとして提供することも、可能である。
【００５７】
次に、図９に示される血液処理具４０は、装着体４２が、金属製のリングからなる、装飾具の一種たるネックレスにて構成されており、それによって、かかる装着体４２が、人体の首等に対して、取り外し可能に容易に装着され得るようになっている。
【００５８】
また、このネックレスからなる装着体４２には、十字架を模したペンダント４４が、取り付けられている。そして、ここでは、このペンダント４４が、樹脂成形体からなり、また、このペンダント４４の内部の全体に、血液処理材１６が、略均一に分散せしめられた状態で、埋設されている。つまり、ここでは、装着体３２が、所定量の血液処理材１６を含有する樹脂成形体（ペンダント４４）を有して構成されることで、それら所定量の血液処理材１６が、装着体３２に保持されているのである。なお、このベンダント４４中における血液処理材１６の含有量は、好ましくは、前記第一、第二、及び第三の実施形態と同様な量とされる。
【００５９】
そうして、このような血液処理具４０においては、装着体４２が、人体の首等に装着されることで、血液処理材１６を、人体に近接位置せしめ得るようになっている。なお、この血液処理具４０に設けられる、血液処理材１６含有のペンダント４４は、前記第三の実施形態の血液処理具３０と形成手法と同様な手法を実施することで、容易に得られる。
【００６０】
このように、本実施形態の血液処理具４０にあっても、人体に装着されることで、前記三つの実施形態と同様な作用・効果が有効に享受され得る。
【００６１】
また、かかる血液処理具４０にあっては、装着体４２が、所定量の血液処理材１６を含有する樹脂成形体からなるペンダント４４を有して構成されているところから、それら所定量の血液処理材１６が、ペンダント４４に対して、より強固に保持されて、容易には脱落しないようになっており、それによって、血液処理材１６による赤血球の連鎖的な結合の分離作用によって発揮される効果が、装着体４２が人体に装着されている間、安定して維持せしめられ得る。
【００６２】
さらに、かかる血液処理具４０にあっては、装着体４２が、所定量の血液処理材１６を含むペンダント４４を有するネックレスにて構成されているため、血液処理を行う機能と装飾機能の両方が、有利に発揮され得る。
【００６３】
以上、本発明の具体的な構成について詳述してきたが、これはあくまでも例示に過ぎないのであって、本発明は、上記の記載によって、何等の制約を受けるものではない。
【００６４】
例えば、第一及び第二の実施形態では、装着体を構成する基材シート１２や帯状シート２４が、それぞれ、所定の化学繊維等を編成してなる、変形が容易な布地等からなっていたが、この装着体を与えるシート材は、何等これに限定されるものではなく、天然繊維を編成してなる布地や、化学繊維又は天然繊維からなる不織布、或いは、化学繊維や天然繊維以外の材料、例えば紙材料や樹脂材料等を用いて形成されたシート材であっても、何等差し支えないのである。なお、装着体を編目の粗い布地等にて構成して、収容部内に収容せしめる場合には、そのような編目からの血液処理材１６の脱落を阻止するために、例えば、所定量の血液処理材１６をペーパータオル等でくるんだ状態で、収容部内に収容せしめるように為すことが、望ましい。
【００６５】
また、血液処理材１６を装着体に固着する場合にあっても、接着剤を用いた固着構造に代えて、例えば、接着テープ等を用いて、血液処理材１６を装着体に固着したり、或いは装着体が樹脂材料からなる場合には、溶着によって、血液処理材１６を装着体に固着することも出来る。
【００６６】
さらに、装着体に血液処理材１６を収容する収容部２６を形成する場合には、装着体とは別個に形成された袋状或いは筺体状の収容部２６を、装着体に取り付けるようにしても良い。
【００６７】
更にまた、血液処理材１６が保持された装着体を、人体等に装着させるに際しても、例えば、着衣に取り付けたり、着衣のポケット等に収容させるようにしても良く、或いは装着体に、人体等に対して貼着可能な貼着部を設けて、人体等に直接に貼り付けて、装着させることも可能である。
【００６８】
また、血液処理材１６を内部に含有する樹脂成形体にて、装着体を構成するか、或いはそのような樹脂成形体を有して、装着体を構成することにより、血液処理材１６を装着体に保持せしめる場合にあっても、例示の如く、それら樹脂成形体が、必ずしも装飾具である必要はない。
【００６９】
さらに、上述の説明から明らかなように、本発明に係る血液処理材は、花崗岩を原材料として得られたものであり、この血液処理材は、他の物質として例えば花崗岩以外の鉱石を原料として得られたものや、合成樹脂材料から得られたもの、天然繊維から得られたものなど各種のものに対して複合的に各種形態をもって採用可能である。
【００７０】
加えて、本発明に従う血液処理材及び血液処理具は、人体以外の家畜やペット等の動物に対しても、有利に適用され得ることは、勿論である。
【実施例】
【００７１】
以下に、本発明の幾つかの実施例を示し、本発明を更に具体的に明らかにすることとするが、本発明が、そのような実施例の記載によって、何等の制約をも受けるものでないことは、言うまでもない。また、本発明には、以下の実施例の他にも、更には上記の具体的記述以外にも、本発明の趣旨を逸脱しない限りにおいて、当業者の知識に基づいて種々なる変更、修正、改良等を加え得るものであることが、理解されるべきである。
【００７２】
先ず、天然の花崗岩を略１２００℃で、略１２０分間焼成して得られた花崗岩の焼成物を用い、この焼成物を公知の粉砕機で粉砕して適当な平均粒径を有する粉砕物としたものを用いた。なお、このような花崗岩を焼成した焼成物は、市場においても入手可能であり、例えば株式会社バイタル研究所から販売されている「増殖転換触媒（ＴＳＭＭＧＧ）」（商品名）が好適に採用され得る。本実施例においても、かかる商品であって、平均粒径を５０μｍとしたものに対して平均粒径が２０μｍ以下のものを適当量混合したものを採用した。
【００７３】
因みに、花崗岩を原料として得られた、かかる血液処理材について、定性分析した結果を、以下の「表１」及び「表２」に示す。なお、定性分析に際しては、粉状体を粉砕プレスし、導電性を持たせるためにイオンスパッタリングにて金蒸着を施した後、 5Ｂ（ホウ素）〜92Ｕ（ウラン）の定性分析を、電子線マイクロアナライザー（島津ＥＰＭＡ−８７０５）を用いて行った。
【００７４】
【表１】
2007268057.tif 000003
【００７５】
【表２】
2007268057.tif 000004
【００７６】
次いで、かくして得られた所定量の血液処理材のうちから、１０ｇを用い、この１０ｇの血液処理材を、２枚のペーパータオルの間に挟んで位置せしめた後、これら２枚のペーパータオルの全体を布で包み、そして、この布の周囲を全周に亘って縫合した。これにより、全体が血液処理材の収容部とされた装着体を有する血液処理具を作製した。また、それと同様にして、同じ血液処理具をもう二つ作製した。なお、かくして作製された三つの血液処理具は、何れも、長さ：３４ｃｍで幅：２２ｃｍの大きさとした。
【００７７】
そして、このようにして作製された三つの血液処理具を、所定の衣服の背中部分に並んで位置するように縫い付けた。その後、それら二つの血液処理具が縫い付けられた衣服を被験者に装着させることで、血液処理材を近接位置させて、絶食下で、安静状態を維持させた。
【００７８】
而して、かくの如き状態下において、被験者の血液中の赤血球の状態の変化を調べるために、二つの血液処理具が縫い付けられた衣服の装着直後と、かかる衣服の装着から適当な時間経過毎（例えば、１間後と、２時間後と、４時間後と、６時間後など）に、それぞれ、被験者の手指の先から血液を採取して、それら各採取血液を光学顕微鏡により、４００〜６００倍（各図中の右側のもの）、および６００〜１２００倍（各図中の左側のもの）で観測した。
【００７９】
このような採取血液を観察による実験を、多数の被検者に対して行った。その結果を表わした資料を、図１０〜図３６に示す。なお、資料中の「バイタル元気シート」および「元気シート」は、何れも、上述の如くして形成した血液処理具を表わす商品名（商品として、市場には未販売、未使用）である。また、このバイタル元気シートのうち、大判のものを「Ｖ・Ｇ・Ｍ」，小判のものを「Ｖ・Ｇ・Ｐ」と、それぞれ商品名略称として、図中に並記している。
【００８０】
これら多数の観察結果から、何れも、同一傾向の特徴が明らかに認められる。例えば、具体的な一例として、長さ：９ｃｍ，幅：７ｃｍのポケットへ挿入して装用したり、衣服に縫い付ける等して装用することの出来る血液処理材としてのバイタル元気シート（略称：Ｖ・Ｇ・Ｐ）を用いた、図１５〜１７に示す観察結果を見ると、衣服のポケットへの装着時の観察結果を示す図１５を最初にして、その装着から１時間，２時間，４時間，６時間の各時間経過後の観察結果が、図１６〜１７に示されている。
【００８１】
これら図１５〜１７から明らかなように、衣服に血液処理材を装着して、血液処理材が人体に近接位置せしめられた直後では、連鎖的に結合し、集積状態とされていた赤血球同士が、時間の経過と共に徐々に分離し、６時間後には、赤血球が完全にバラバラな状態でなっていることが、明確に認められる。これは、本発明に従う血液処理具を用いて、血液処理材を近接位置させることで、人体の血液中で連鎖的に結合された赤血球同士が確実に分離せしめられ得ることを、如実に示しているのである。
【００８２】
この傾向は、他の全ての被検者に見られるものであり、しかも、血液処理具を外した後は、時間経過と共に、一度バラバラな状態となっていた赤血球が、再び連鎖的に結合を始めるまでに相当の時間の経過が認められることから、赤血球の再連鎖が充分に遅延されることも、明らかに認められるところである。また、本発明に係る別の血液処理材として、長さ：３４ｃｍ，幅：２２ｃｍの衣服に縫い付けたり、寝具に敷いたり等して装用することの出来る血液処理材としてのバイタル元気シート（略称：Ｖ・Ｇ・Ｍ）を用いた、図１０〜１４や図１８〜３６に示す観察結果を見ても、その装着から６０〜９０分で赤血球の連鎖が解消していることが認められる。更に、かかるバイタル元気シートを外したあと、５時間もの長時間に亘って赤血球の再連鎖が回避されることを、例えば図１２において確認することができる。
【００８３】
そして、これらのことからも、本発明に係る血液処理具における前述の如き効果が明らかに認められるのである。
【００８４】
さらに、本発明者が実施した別の実験例として、老人浮腫に対して、上述の血液処理具に用いたものと同一の血液処理材の１０ｇを用いて、前記実施形態の図４〜５に示したとおりに製作したシート状の血液処理具を採用し、これを老人浮腫の被検者二人に施したものを、実施例として挙げる。具体的には、老人浮腫は一種の血行障害と考えられるから、本発明に係る血液処理具を処することにより、これを軽減することが出来ることで効果が確認できた。
【００８５】
すなわち、図３７に示されるように３月２７日には、慢性的な老人性浮腫を患っていた被検者（加藤氏）が、常時、浮腫箇所である足甲部分に血液処理具を巻き付けておくことにより、略２カ月後の５月３１日には、図３８に示されているように、殆ど解消されていることを確認した。
【００８６】
同様に、被検者（西野氏）についても、３月２７日に、図３９に示されている如き浮腫があったものが、常時、浮腫箇所である足甲部分に血液処理具を巻き付けておくことにより、略２カ月後の５月３０日には、図４０に示されているように、殆ど解消されていることを確認した。なお、浮腫箇所への血液処理具の巻き付け状態を、図３９，４０に参考的に示す。
【００８７】
さらに、上述の血液処理具に用いたものと同一の血液処理材の５ｇを用いて、前記実施形態の図９に示されている如き固形のペンダントとして血液処理具を採用し、これを被検者二人にネックレスにつけて施したものを、別の実施例として挙げる。なお、ペンダントの形状は、成形し易い楕円プレート形状とした。
【００８８】
具体的には、健常と考えられる成人の男女二人について、かかるペンダントを着ける時点と、ペンダントを着けた時点から１時間等適当な時間を経過した後とにおいて、それぞれ、指先から採取した血液を顕微鏡で観察することにより、血液中の赤血球の結合乃至は分離の状態を調べた。その観察結果を、図４１〜４４に示す。      
【００８９】
これらの実験の観察結果からも、本発明に係る血液処理具における効果が明白に認められるところである。
【図面の簡単な説明】
【００９０】
【図１】本発明に係る血液処理具に用いられる花崗岩の焼成物についての分析結果の一つを示す図である。
【図２】図１に示された分析結果を示すグラフである。
【図３】図１に示された分析結果を示す別のグラフである。
【図４】本発明に従う構造を有する血液処理具の一実施形態を示す、正面説明図。
【図５】図４におけるＶ−Ｖ側面の部分拡大説明図。
【図６】本発明に従う構造を有する血液処理具の別の実施形態を示す正面説明図。
【図７】図６における VII−VII 断面の部分拡大説明図。
【図８】本発明に従う構造を有する血液処理具の更に別の実施形態を示す、一部切欠図を含む正面説明図。
【図９】本発明に従う構造を有する血液処理具の他の実施形態を示す、一部切欠図を含む正面説明図。
【図１０】本発明に従う構造を有する血液処理具を用いた第一実施例として、被験者における血液中の赤血球同士の連鎖的結合状態を観察する試験を行ったときの赤血球の状態を示す顕微鏡写真。
【図１１】図１０に示された第一実施例の異なる時間経過状態を示す顕微鏡写真。
【図１２】図１０に示された第一実施例の更に異なる時間経過状態を示す顕微鏡写真。
【図１３】図１０に示された第一実施例の考察を示す具体的標記図。
【図１４】本発明に従う構造を有する血液処理具を用いた第二実施例として、被験者における血液中の赤血球同士の連鎖的結合状態を観察する試験を行ったときの赤血球の状態を示す顕微鏡写真。
【図１５】本発明に従う構造を有する血液処理具を用いた第三実施例として、被験者における血液中の赤血球同士の連鎖的結合状態を観察する試験を行ったときの赤血球の状態を示す顕微鏡写真。
【図１６】図１５に示された第三実施例の異なる時間経過状態を示す顕微鏡写真。
【図１７】図１５に示された第三実施例の更に異なる時間経過状態を示す顕微鏡写真。
【図１８】図１５に示された第三実施例の更に異なる時間経過状態を示す顕微鏡写真。
【図１９】本発明に従う構造を有する血液処理具を用いた第四実施例として、被験者における血液中の赤血球同士の連鎖的結合状態を観察する試験を行ったときの赤血球の状態を示す顕微鏡写真。
【図２０】図１９に示された第四実施例の所定時間経過状態を示す顕微鏡写真。
【図２１】本発明に従う構造を有する血液処理具を用いた第五実施例として、被験者における血液中の赤血球同士の連鎖的結合状態を観察する試験を行ったときの赤血球の状態を示す顕微鏡写真。
【図２２】図２１に示された第五実施例の所定時間経過状態を示す顕微鏡写真。
【図２３】本発明に従う構造を有する血液処理具を用いた第六実施例として、被験者における血液中の赤血球同士の連鎖的結合状態を観察する試験を行ったときの赤血球の状態を示す顕微鏡写真。
【図２４】図２３に示された第六実施例の所定時間経過状態を示す顕微鏡写真。
【図２５】本発明に従う構造を有する血液処理具を用いた第七実施例として、被験者における血液中の赤血球同士の連鎖的結合状態を観察する試験を行ったときの赤血球の状態を示す顕微鏡写真。
【図２６】図２５に示された第七実施例の所定時間経過状態を示す顕微鏡写真。
【図２７】本発明に従う構造を有する血液処理具を用いた第八実施例として、被験者における血液中の赤血球同士の連鎖的結合状態を観察する試験を行ったときの赤血球の状態を示す顕微鏡写真。
【図２８】図２７に示された第八実施例の所定時間経過状態を示す顕微鏡写真。
【図２９】本発明に従う構造を有する血液処理具を用いた第九実施例として、被験者における血液中の赤血球同士の連鎖的結合状態を観察する試験を行ったときの赤血球の状態を示す顕微鏡写真。
【図３０】図２９に示された第九実施例の所定時間経過状態を示す顕微鏡写真。
【図３１】本発明に従う構造を有する血液処理具を用いた第十実施例として、被験者における血液中の赤血球同士の連鎖的結合状態を観察する試験を行ったときの赤血球の状態を示す顕微鏡写真。
【図３２】図３１に示された第十実施例の所定時間経過状態を示す顕微鏡写真。
【図３３】本発明に従う構造を有する血液処理具を用いた第十一実施例として、被験者における血液中の赤血球同士の連鎖的結合状態を観察する試験を行ったときの赤血球の状態を示す顕微鏡写真。
【図３４】図３３に示された第十一実施例の所定時間経過状態を示す顕微鏡写真。
【図３５】本発明に従う構造を有する血液処理具を用いた第十二実施例として、被験者における血液中の赤血球同士の連鎖的結合状態を観察する試験を行ったときの赤血球の状態を示す顕微鏡写真。
【図３６】図３５に示された第十二実施例の所定時間経過状態を示す顕微鏡写真。
【図３７】本発明に従う構造を有する血液処理具を用いた第十三実施例として、被験者における試験開始時の状態を示す説明写真。
【図３８】図３７に示された第十三実施例の所定時間経過状態を示す説明写真である。
【図３９】本発明に従う構造を有する血液処理具を用いた第十四実施例として、被験者における試験開始時の状態を示す説明写真。
【図４０】図３９に示された第十四実施例の所定時間経過状態を示す説明写真。
【図４１】本発明に従う構造を有する血液処理具を用いた第十五実施例として、被験者における血液中の赤血球同士の連鎖的結合状態を観察する試験を行ったときの赤血球の状態を示す顕微鏡写真。
【図４２】図４１に示された第十五実施例の所定時間経過状態を示す顕微鏡写真。
【図４３】本発明に従う構造を有する血液処理具を用いた第十六実施例として、被験者における血液中の赤血球同士の連鎖的結合状態を観察する試験を行ったときの赤血球の状態を示す顕微鏡写真。
【図４４】図４３に示された第十六実施例の所定時間経過状態を示す顕微鏡写真。
【符号の説明】
【００９１】
１０，２０，３０，４０：血液処理具，１２：基材シート，１６：血液処理材，１８：接着材層，２２，３２，４２：装着体，２４：帯状シート，２６：収容部，４４：ペンダント
【図１】
2007268057.tif 000005
【図４】
2007268057.tif 000006
【図５】
2007268057.tif 000007
【図６】
2007268057.tif 000008
【図７】
2007268057.tif 000009
【図８】
2007268057.tif 000010
【図９】
2007268057.tif 000011
【図２】
2007268057.tif 000012
【図３】
2007268057.tif 000013
【図１０】
2007268057.tif 000014
【図１１】
2007268057.tif 000015
【図１２】
2007268057.tif 000016
【図１３】
2007268057.tif 000017
【図１４】
2007268057.tif 000018
【図１５】
2007268057.tif 000019
【図１６】
2007268057.tif 000020
【図１７】
2007268057.tif 000021
【図１８】
2007268057.tif 000022
【図１９】
2007268057.tif 000023
【図２０】
2007268057.tif 000024
【図２１】
2007268057.tif 000025
【図２２】
2007268057.tif 000026
【図２３】
2007268057.tif 000027
【図２４】
2007268057.tif 000028
【図２５】
2007268057.tif 000029
【図２６】
2007268057.tif 000030
【図２７】
2007268057.tif 000031
【図２８】
2007268057.tif 000032
【図２９】
2007268057.tif 000033
【図３０】
2007268057.tif 000034
【図３１】
2007268057.tif 000035
【図３２】
2007268057.tif 000036
【図３３】
2007268057.tif 000037
【図３４】
2007268057.tif 000038
【図３５】
2007268057.tif 000039
【図３６】
2007268057.tif 000040
【図３７】
2007268057.tif 000041
【図３８】
2007268057.tif 000042
【図３９】
2007268057.tif 000043
【図４０】
2007268057.tif 000044
【図４１】
2007268057.tif 000045
【図４２】
2007268057.tif 000046
【図４３】
2007268057.tif 000047
【図４４】
2007268057.tif 000048